(57)【要約】      （修正有）【課題】ストレーナ本体に対するストレーナカバーの安定した固定状態を得ることができる、製造容易なオイルストレーナ及びその製造方法を提供すること。【解決手段】オイルストレーナ１は、ストレーナ本体２とストレーナカバー３とフィルタ４とを有する。ストレーナ本体２は、本体開口面の外周に設けられた本体周縁部２３を有する。ストレーナカバー３は、カバー周縁部３４と複数の係合爪部３３とを有する。係合爪部３３は、カバー周縁部２３から立設した立設部３３１と、立設部３３１から折り返された折返し部３３２と、折返し部３３２から内方へ突出した内方突出部３３３と、内方突出部３３３の下方へ突出した下方突出部３３４と、を有する。立設部３３１は、カバー周縁部３４とのなす角度が大きくなる方向へ弾性変形している。下方突出部３３４は、立設部３３１の復元力によって、本体周縁部２３の上面２３１に圧接している。【選択図】図１
2018193939.tif 000002
【特許請求の範囲】
【請求項１】
オイルポンプに吸引されるオイルを濾過するオイルストレーナ（１）であって、
上記オイルポンプのポンプ室に連通すると共に下側に本体開口面（２１）を備えたストレーナ本体（２）と、
上記オイルを吸入する吸入口（３１）を有すると共に上記本体開口面を覆うように配設されたストレーナカバー（３）と、
上記ストレーナ本体と上記ストレーナカバーとの間に介在して上記オイルを透過させるフィルタ（４）と、を有し、
上記ストレーナ本体は、上記本体開口面の外周に設けられた本体周縁部（２３）を有し、
上記ストレーナカバーは、上記本体周縁部に対向配置されるカバー周縁部（３４）と、上記本体周縁部に係合する複数の係合爪部（３３）と、を有し、
上記係合爪部は、上記カバー周縁部から上側へ立設した立設部（３３１）と、上記立設部の上端から折り返された折返し部（３３２）と、該折返し部の下端から内方へ突出した内方突出部（３３３）と、該内方突出部の下側において上記下方へ突出した下方突出部（３３４）と、を有し、
上記立設部は、上記本体周縁部の外側において立設しており、
上記立設部は、上記カバー周縁部とのなす角度が大きくなる方向へ弾性変形しており、
上記下方突出部は、上記立設部の復元力によって、上記本体周縁部の上面（２３１）に圧接している、オイルストレーナ。
【請求項２】
上記下方突出部は、上下方向と上記内方突出部の突出方向とに平行な断面の形状が、凸の曲線状に形成されている、請求項１に記載のオイルストレーナ。
【請求項３】
上記内方突出部の上面と上記立設部とのなす角度は鈍角である、請求項１又は２に記載のオイルストレーナ。
【請求項４】
上記立設部と上記カバー周縁部とのなす角度は鈍角である、請求項１〜３のいずれか一項に記載のオイルストレーナ。
【請求項５】
オイルポンプに吸引されるオイルを濾過するオイルストレーナ（１）を製造する方法であって、
上記オイルストレーナは、
上記オイルポンプのポンプ室に連通すると共に下側に本体開口面（２１）を備えたストレーナ本体（２）と、
上記オイルを吸入する吸入口（３１）を有すると共に上記本体開口面を覆うように配設されたストレーナカバー（３）と、
上記ストレーナ本体と上記ストレーナカバーとの間に介在して上記オイルを透過させるフィルタ（４）と、を有し、
上記ストレーナ本体は、上記本体開口面の外周に設けられた本体周縁部（２３）を有し、
上記ストレーナカバーは、上記本体周縁部に対向配置されるカバー周縁部（３４）と、上記本体周縁部（２３）に係合する複数の係合爪部（３３）と、を有し、
上記係合爪部は、上記カバー周縁部から上側へ立設した立設部（３３１）と、上記立設部の上端から折り返された折返し部（３３２）と、該折返し部の下端から内方へ突出した内方突出部（３３３）と、該内方突出部の下側において上記下方へ突出した下方突出部（３３４）と、を有し、
上記ストレーナ本体に、上記ストレーナカバーを組み付けるにあたっては、
上記フィルタを上記ストレーナカバーと上記ストレーナ本体との間に配置し、
上記折返し部を上記本体周縁部の外側に配置すると共に、上記内方突出部の上面（３３５）を上記本体周縁部の下面（２３２）に当接させるように、上記ストレーナ本体に上記ストレーナカバーを配置し、
上記ストレーナカバーを上記ストレーナ本体に向かって押し込むことにより、上記立設部を、上記カバー周縁部とのなす角度が広がるように弾性変形させ、
さらに、上記ストレーナカバーを上記ストレーナ本体に向かって押し込むことにより、上記内方突出部及び上記下方突出部を上記本体周縁部の側端面（２３３）に沿って上記本体周縁部の上面（２３１）に移動させた後、上記下方突出部を上記本体周縁部の上面に配置し、上記立設部の復元力によって、上記下方突出部が上記本体周縁部の上面に圧接される状態を形成する、オイルストレーナの製造方法。
【請求項６】
上記ストレーナカバーを上記ストレーナ本体に向かって押し込んだとき、上記内方突出部は、上記折返し部とのなす角度が大きくなる方向に弾性変形する、請求項５に記載のオイルストレーナの製造方法。
【請求項７】
上記ストレーナカバーを上記ストレーナ本体に向かって押し込んだとき、上記内方突出部が弾性変形すると共に上記下方突出部が上記立設部を外方へ押圧する、請求項６に記載のオイルストレーナの製造方法。
【請求項８】
上記下方突出部は、上下方向と上記内方突出部の突出方向とに平行な断面の形状が、凸の曲線状に形成されている、請求項５〜７のいずれか一項に記載のオイルストレーナの製造方法。
【請求項９】
上記ストレーナカバーが上記ストレーナ本体に組み付けられる前において、上記内方突出部の上面と上記立設部とのなす角度は鈍角である、請求項５〜８のいずれか一項に記載のオイルストレーナの製造方法。
【請求項１０】
上記ストレーナカバーが上記ストレーナ本体に組み付けられる前において、上記内方突出部の上面は、内方へ向かうにつれて上記カバー周縁部に近付く方向に傾斜している、請求項５〜９のいずれか一項に記載のオイルストレーナの製造方法。
【発明の詳細な説明】
【技術分野】
【０００１】
本発明は、オイルポンプに吸引されるオイルを濾過するオイルストレーナ及びその製造方法に関する。
【背景技術】
【０００２】
例えば、自動車のトランスアクスル内に、オイルを循環させるオイルポンプが配されている。そして、オイルポンプには、オイルポンプに吸引されるオイルを濾過するためのオイルストレーナが接続されている。
オイルストレーナとして、例えば、特許文献１に開示されているように、上側分割体と、上側分割体に取り付けられたフィルタ及び下側分割体とを有するものがある。
【先行技術文献】
【特許文献】
【０００３】
【特許文献１】特開２０１５−２０６２９１号公報
【発明の概要】
【発明が解決しようとする課題】
【０００４】
しかしながら、特許文献１に開示のオイルストレーナにおいては、上側分割体（ストレーナ本体）と下側分割体（ストレーナカバー）とが溶着されている。そのため、オイルストレーナを製造するにあたり、製造工数、製造コストが増大しやすい。その一方で、かしめ等によって、ストレーナ本体にストレーナカバーを固定する場合には、充分な固定力を簡素な工程にて得ることが困難である。
【０００５】
本発明は、かかる背景に鑑みてなされたものであり、ストレーナ本体に対するストレーナカバーの安定した固定状態を得ることができる、製造容易なオイルストレーナ及びその製造方法を提供しようとするものである。
【課題を解決するための手段】
【０００６】
本発明の一態様は、オイルポンプに吸引されるオイルを濾過するオイルストレーナであって、
上記オイルポンプのポンプ室に連通すると共に下側に本体開口面を備えたストレーナ本体と、
上記オイルを吸入する吸入口を有すると共に上記本体開口面を覆うように配設されたストレーナカバーと、
上記ストレーナ本体と上記ストレーナカバーとの間に介在して上記オイルを透過させるフィルタと、を有し、
上記ストレーナ本体は、上記本体開口面の外周に設けられた本体周縁部を有し、
上記ストレーナカバーは、上記本体周縁部に対向配置されるカバー周縁部と、上記本体周縁部に係合する複数の係合爪部と、を有し、
上記係合爪部は、上記カバー周縁部から上側へ立設した立設部と、上記立設部の上端から折り返された折返し部と、該折返し部の下端から内方へ突出した内方突出部と、該内方突出部の下側において上記下方へ突出した下方突出部と、を有し、
上記立設部は、上記本体周縁部の外側において立設しており、
上記立設部は、上記カバー周縁部とのなす角度が大きくなる方向へ弾性変形しており、
上記下方突出部は、上記立設部の復元力によって、上記本体周縁部の上面に圧接している、オイルストレーナにある。
【０００７】
本発明の他の態様は、オイルポンプに吸引されるオイルを濾過するオイルストレーナを製造する方法であって、
上記オイルストレーナは、
上記オイルポンプのポンプ室に連通すると共に下側に本体開口面を備えたストレーナ本体と、
上記オイルを吸入する吸入口を有すると共に上記本体開口面を覆うように配設されたストレーナカバーと、
上記ストレーナ本体と上記ストレーナカバーとの間に介在して上記オイルを透過させるフィルタと、を有し、
上記ストレーナ本体は、上記本体開口面の外周に設けられた本体周縁部を有し、
上記ストレーナカバーは、上記本体周縁部に対向配置されるカバー周縁部と、上記本体周縁部に係合する複数の係合爪部と、を有し、
上記係合爪部は、上記カバー周縁部から上側へ立設した立設部と、上記立設部の上端から折り返された折返し部と、該折返し部の下端から内方へ突出した内方突出部と、該内方突出部の下側において上記下方へ突出した下方突出部と、を有し、
上記ストレーナ本体に、上記ストレーナカバーを組み付けるにあたっては、
上記フィルタを上記ストレーナカバーと上記ストレーナ本体との間に配置し、
上記折返し部を上記本体周縁部の外側に配置すると共に、上記内方突出部の上面を上記本体周縁部の下面に当接させるように、上記ストレーナ本体に上記ストレーナカバーを配置し、
上記ストレーナカバーを上記ストレーナ本体に向かって押し込むことにより、上記立設部を、上記カバー周縁部とのなす角度が広がるように弾性変形させ、
さらに、上記ストレーナカバーを上記ストレーナ本体に向かって押し込むことにより、上記内方突出部及び上記下方突出部を上記本体周縁部の側端面に沿って上記本体周縁部の上面に移動させた後、上記下方突出部を上記本体周縁部の上面に配置し、上記立設部の復元力によって、上記下方突出部が上記本体周縁部の上面に圧接される状態を形成する、オイルストレーナの製造方法にある。
【発明の効果】
【０００８】
上記オイルストレーナにおいて、上記ストレーナカバーは、複数の上記係合爪部を有する。それゆえ、ストレーナカバーを、容易にストレーナ本体に固定することができる。そのため、オイルストレーナの製造を容易に行うことができる。
【０００９】
また、係合爪部は、上記立設部と、上記折返し部と、上記内方突出部と、上記下方突出部とを有する。そして、下方突出部は、立設部の復元力によって、本体周縁部の上面に圧接している。これにより、ストレーナ本体に対するストレーナカバーの安定した固定状態を得ることができる。
【００１０】
また、上記オイルストレーナの製造方法においては、ストレーナ本体にストレーナカバーを配置する際、折返し部を本体周縁部の外側に配置すると共に、内方突出部の上面を本体周縁部の下面に当接させる。これにより、折返し部によって、ストレーナ本体とストレーナカバーとの位置決めを容易に行うことができる。
【００１１】
また、ストレーナカバーをストレーナ本体に向かって押し込むことにより、上記のように、立設部を弾性変形させ、さらには下方突出部を本体周縁部の上面に圧接される状態を形成する。このように、ストレーナカバーをストレーナ本体に向かって押し込む動作によって、複数の係合爪部をストレーナ本体の本体周縁部に係合させることができる。したがって、ストレーナ本体に対するストレーナカバーの安定した固定状態を得ることができる。
【００１２】
以上のごとく、上記態様によれば、ストレーナ本体に対するストレーナカバーの安定した固定状態を得ることができる、製造容易なオイルストレーナ及びその製造方法を提供することができる。
【図面の簡単な説明】
【００１３】
【図１】実施形態１における、オイルストレーナの断面図であって、図２のＩ−Ｉ線矢視断面相当図。
【図２】実施形態１における、オイルストレーナの上面図。
【図３】実施形態１における、ストレーナカバーの上面図。
【図４】実施形態１における、オイルストレーナの分解断面図。
【図５】実施形態１における、ストレーナカバーとストレーナ本体とが水平方向に位置決めされた状態の断面説明図。
【図６】実施形態１における、ストレーナカバーをストレーナ本体に押し込む直前の状態の係合爪部周辺の断面説明図。
【図７】実施形態１における、ストレーナカバーをストレーナ本体に組み付ける際の係合爪部の変形過程の断面説明図。
【図８】図７に続く、係合爪部の変形過程の断面説明図。
【図９】図８に続く、係合爪部の変形過程の断面説明図。
【図１０】図９に続く、係合爪部の変形過程の断面説明図。
【図１１】実施形態２における、係合爪部の変形過程の断面説明図。
【図１２】実施形態３における、係合爪部の変形過程の断面説明図。
【図１３】実施形態４における、係合爪部の変形過程の断面説明図。
【発明を実施するための形態】
【００１４】
上記オイルストレーナは、例えば、トランスアクスル内に配設されたオイルポンプに取り付けられる。なお、「下側」、「上側」等の表現は、オイルストレーナが、トランスアクスル内等に配設されて使用されるときの姿勢を基準とするものである。それゆえ、オイルストレーナの製造時等においては、必ずしもこの上下の向きが鉛直方向と平行となる必要はない。すなわち、本明細書において、上下方向は、特に言及しない限り、ストレーナ本体とストレーナカバーとの重なり方向を意味する。
【００１５】
また、上記下方突出部は、上下方向と上記内方突出部の突出方向とに平行な断面の形状が、凸の曲線状に形成されていることが好ましい。この場合には、係合爪部を本体周縁部に係合させる際に、下方突出部が円滑に本体周縁部の上面に配置されるようにすることができる。
【００１６】
また、上記内方突出部の上面と上記立設部とのなす角度は鈍角であることが好ましい。この場合には、係合爪部を本体周縁部に係合させる際に、内方突出部の上面に沿って本体周縁部を摺動させて、立設部を弾性変形させやすくすることができる。
【００１７】
また、上記オイルストレーナにおいて、上記立設部と上記カバー周縁部とのなす角度は鈍角であることが好ましい。この場合には、立設部が弾性変形した状態で、下方突出部が本体周縁部の上面に圧接した状態を得やすくすることができる。
【００１８】
また、上記オイルストレーナの製造方法において、上記ストレーナカバーを上記ストレーナ本体に向かって押し込んだとき、上記内方突出部は、上記折返し部とのなす角度が大きくなる方向に弾性変形することが好ましい。この場合には、より円滑に本体周縁部を上記内方突出部に対して摺動させることができる。
【００１９】
また、上記ストレーナカバーを上記ストレーナ本体に向かって押し込んだとき、上記内方突出部が弾性変形すると共に上記下方突出部が上記立設部を外方へ押圧することが好ましい。この場合には、上記立設部をより確実に弾性変形させることができる。
【００２０】
また、上記ストレーナカバーが上記ストレーナ本体に組み付けられる前において、上記内方突出部の上面は、内方へ向かうにつれて上記カバー周縁部に近付く方向に傾斜していることが好ましい。この場合には、ストレーナカバーをストレーナ本体に向かって押し込むことにより、立設部を弾性変形させる際に、内方突出部の上面に対する本体周縁部の摺動を円滑にすることができる。
【００２１】
（実施形態１）
オイルストレーナ及びその製造方法の実施形態につき、図１〜図１０を参照して説明する。
オイルストレーナ１は、図示を省略するオイルポンプに吸引されるオイルを濾過する。
オイルストレーナ１は、図１に示すごとく、ストレーナ本体２とストレーナカバー３とフィルタ４とを有する。
【００２２】
ストレーナ本体２は、オイルポンプのポンプ室に連通すると共に、図４に示すごとく、下側に本体開口面２１を備えている。
ストレーナカバー３は、図１、図３に示すごとく、オイルを吸入する吸入口３１を有する。また、ストレーナカバー３は、本体開口面２１を覆うように配設されている。なお、ストレーナ本体２は、オイルポンプのポンプ室へオイルを流出する流出口２５１を有する。
フィルタ４は、図１に示すごとく、ストレーナ本体２とストレーナカバー３との間に介在してオイルを透過させる。
【００２３】
ストレーナ本体２は、本体開口面２１の外周に設けられた本体周縁部２３を有する。
ストレーナカバー３は、本体周縁部２３に対向配置されるカバー周縁部３４と、本体周縁部２３に係合する複数の係合爪部３３と、を有する。係合爪部３３は、立設部３３１と折返し部３３２と内方突出部３３３と下方突出部３３４とを有する。立設部３３１は、カバー周縁部３４から上側へ立設している。折返し部３３２は、立設部３３１の上端から折り返されている。内方突出部３３３は、折返し部３３２の下端から内方へ突出している。下方突出部３３４は、内方突出部３３３の下側において下方へ突出している。
【００２４】
立設部３３１は、本体周縁部２３の外側において立設している。立設部３３１は、カバー周縁部３４とのなす角度が大きくなる方向へ弾性変形している。下方突出部３３４は、立設部３３１の復元力によって、本体周縁部２３の上面２３１に圧接している。
なお、立設部３３１の変形とは、主としてカバー周縁部３４に対する姿勢の変化を意味する。
【００２５】
本実施形態において、オイルストレーナ１は、フィルタ４の上面に配された板状のフレーム５をさらに有する。フレーム５は、ストレーナカバー３及びフィルタ４と共に、本体周縁部２３の下面２３２に固定されている。フレーム５は、厚み方向に貫通した開口部５１を有する。開口部５１の少なくとも一部は、ストレーナカバー３の吸入口３１に対向配置される。
【００２６】
図２、図３に示すごとく、係合爪部３３は、ストレーナカバー３の外周縁における複数箇所に設けてある。すなわち、係合爪部３３は、本体周縁部２３の複数箇所に係合している。図２に示すごとく、本体周縁部２３は、上下方向から見たとき、ストレーナ本体２の全周に形成されている。上下方向から見たとき、ストレーナ本体２の外形は、略長方形状となっており、その４辺に対応する位置に本体周縁部２３が形成されている。
【００２７】
そして、係合爪部３３は、４辺の本体周縁部２３のいずれにも、係合している。各辺の本体周縁部２３における２か所ずつに、係合爪部３３が係合している。上下方向から見たとき、本体周縁部２３における互いに対向する辺に係合した係合爪部３３同士は、各辺に直交する方向において対向する位置に配置されている。
【００２８】
複数の係合爪部３３は、ストレーナカバー３の一部として構成されている。すなわち、係合爪部３３を含めたストレーナカバー３の全体は、一枚の金属板によって構成されている。係合爪部３３は、カバー周縁部３４に対して屈曲して立設している。
図１に示すごとく、ストレーナカバー３がストレーナ本体２に対して固定された状態において、係合爪部３３の立設部３３１とカバー周縁部３４とのなす角度は鈍角である。すなわち、立設部３３１は、上側へ向かうほど外側へ向かうように傾斜している。
【００２９】
立設部３３の上端は、上下方向において、本体周縁部２３の上面２３１よりも上側に位置している。折返し部３３２は、立設部３３１の内側に位置する。折返し部３３２の下端は、本体周縁部２３の上面２３１よりも上側に位置している。
【００３０】
折返し部３３２の下端から内側へ向かって屈曲して、内方突出部３３３が形成されている。内方突出部３３３の上面３３５は、略平面状となっている。本実施形態においては、内方突出部３３３の上面３３５と立設部３３１とのなす角度は鈍角である。
【００３１】
内方突出部３３３の下側に、下方突出部３３４が形成されている。下方突出部３３４は、内方突出部３３３の内側端縁から下方に屈曲すると共に外側へ向かって折り返されている。下方突出部３３４は、下方に向って凸の状態で湾曲している。すなわち、下方突出部３３４は、上下方向と内方突出部３３３の突出方向とに平行な断面の形状が、凸の曲線状に形成されている。
【００３２】
下方突出部３３４は、その下側に配される本体周縁部２３の上面２３１に圧接している。すなわち、本体周縁部２３、フィルタ４の周縁部、及びフレーム５の周縁部は、カバー周縁部３４と下方突出部３３４とに、挟持されている。この挟持力は、少なくとも、弾性変形した係合爪部３３の立設部３３１の復元力に起因する。また、係合爪部３３が折返し部３３２に対して弾性変形した状態にある場合、内方突出部３３３の復元力も、上記挟持力の一部となる。
【００３３】
このようにして、係合爪部３３は、ストレーナカバー３を、フィルタ４及びフレーム５と共に、ストレーナ本体２の本体周縁部２３に固定している。
【００３４】
オイルストレーナ１を製造する際、ストレーナカバー３及びフィルタ４をストレーナ本体２に固定するにあたっては、基本的には、以下のような手順を踏む。便宜上、まず、フレーム５については触れずに、組立手順の概要を説明する。ただし、後述するように、本実施形態においては、フレーム５もストレーナ本体２に組み付ける。
【００３５】
まず、フィルタ４をストレーナカバー３とストレーナ本体２との間に配置する。ここで、例えば、図５に示すごとく、フィルタ４は、上下方向において、カバー周縁部３４と下方突出部３３４との間に配置してもよいし、内方突出部３３３の上面３３５に載置してもよい。
【００３６】
次いで、図５、図６に示すごとく、折返し部３３２を本体周縁部２３の外側に配置すると共に、内方突出部３３３の上面３３５を本体周縁部２３の下面２３２に当接させるように、ストレーナ本体２にストレーナカバー３を配置する。
次いで、図７に示すごとく、ストレーナカバー３をストレーナ本体２に向かって押し込む。これにより、立設部３３１を、カバー周縁部３４とのなす角度が広がるように弾性変形させる。
【００３７】
さらに、ストレーナカバー３をストレーナ本体２に向かって押し込む。これにより、図８〜図１０に示すごとく、内方突出部３３３及び下方突出部３３４を本体周縁部２３の側端面２３３に沿って本体周縁部２３の上面２３１に移動させる。その後、図１０に示すごとく、下方突出部３３４が本体周縁部２３の上面２３１に配置される。そして、立設部３３１の復元力によって、下方突出部３３４が本体周縁部２３の上面２３１に圧接される状態が形成される。すなわち、図１に示すオイルストレーナ１が得られる。
【００３８】
次に、本実施形態のオイルストレーナ１の組立方法の一例を、より具体的に説明する。
オイルストレーナ１を組み立てるにあたっては、図４に示すように、互いに別部品となっている、ストレーナ本体２、フレーム５、フィルタ４、ストレーナカバー３を、互いに組み付ける。
【００３９】
図４に示すごとく、ストレーナカバー３がストレーナ本体２に組み付けられる前において、係合爪部３３は、以下のような形状を有する。内方突出部３３３の上面３３５と立設部３３１とのなす角度は鈍角である。また、内方突出部３３３の上面３３５は、内方へ向かうにつれてカバー周縁部３４に近付く方向に傾斜している。また、立設部３３１は、カバー周縁部３４に対して略垂直である。また、折返し部３３２も、カバー周縁部３４に対して略垂直である。また、上下方向におけるカバー周縁部３４と下方突出部３３４との間隔は、本体周縁部２３の厚みとフィルタ４の厚みとフレーム５の厚みとの合計よりも小さい。
【００４０】
まず、図５に示すごとく、フィルタ４及びフレーム５を、ストレーナカバー３の上面に配置する。すなわち、フィルタ４及びフレーム５を、ストレーナカバー３におけるカバー周縁部３４と下方突出部３３４との間に配置する。
【００４１】
次いで、図５に示すごとく、フィルタ４及びフレーム５と共にストレーナカバー３をストレーナ本体２の下面に配置する。つまり、本体開口面２１を下側から覆うように、ストレーナ本体２にストレーナカバー３を配置する。このとき、ストレーナカバー３における複数の係合爪部３３の折返し部３３２の内側に、ストレーナ本体２が配置されるようにする。図３に示すようにストレーナカバー３を上方から見たとき、複数の係合爪部３３の折返し部３３２は、その内側に、ストレーナ本体２の外形が納まるような配置となっている。そして、図５に示すごとく、複数の係合爪部３３の折返し部３３２の内側にストレーナ本体２が配置されることにより、上下方向に垂直な方向、すなわち水平方向における、ストレーナ本体２とストレーナカバー３との位置決めがなされる。
【００４２】
また、ストレーナ本体２とストレーナカバー３とを重ねる際に、図５、図６に示すごとく、前方突出部２３の上面３３５が、ストレーナ本体２における本体周縁部２３の下面２３２の一部に当接するようにする。前方突出部２３の上面３３５は、本体周縁部２３の下面２３２の角部に当接する。
【００４３】
この状態から、図６〜図１０に示すごとく、ストレーナカバー３をストレーナ本体２に向かって押し込む。すなわち、図６に示すごとく、ストレーナ本体２の本体周縁部２３の上面２３１を、複数箇所において、固定治具７１にて支持しておく。図２に、本体周縁部２３の上面２３１における、固定治具７１による複数の支持位置を、破線の円にて例示する。本体周縁部２３の支持位置は、係合爪部３３と干渉しない位置であれば、特に限定されないが、周方向に均等に配置されることが好ましい。
【００４４】
この状態において、カバー周縁部３４の下面に可動治具７２を当接させると共に、可動治具７２を上方へ向かって押し上げる。これにより、ストレーナカバー３をストレーナ本体２に向って押し込む。なお、ストレーナ本体２に対するストレーナカバー３の押込み方向は、相対的なものであり、ストレーナ本体２をストレーナカバー３に向かって押し込んでもよい。また、図７〜図１０において、固定治具７１及び可動治具７２は省略してある。
【００４５】
ストレーナカバー３をストレーナ本体２に向かって押し込んだとき、図７に示すごとく、内方突出部３３３は、折返し部３３２とのなす角度が大きくなる方向に弾性変形する。ここで、内方突出部３３３の弾性変形は、主として折返し部３３２に対する内方突出部３３３の姿勢（すなわち角度）の変化である。
【００４６】
さらに、ストレーナカバー３をストレーナ本体２に向かって押し込んだとき、図７に示すごとく、内方突出部３３３が弾性変形すると共に下方突出部３３４が立設部３３１を外方へ押圧する。これにより、立設部３３１は、カバー周縁部３４とのなす角度が広がるように弾性変形する。
【００４７】
さらに、ストレーナカバー３をストレーナ本体２に向かって押し込むと、図８に示すごとく、内方突出部３３３の内側端部が、本体周縁部２３の側端面２３３に当接する。その後、内方突出部３３３及び下方突出部３３４が本体周縁部２３の側端面２３３に沿って上方に移動する。
【００４８】
そして、内方突出部３３３及び下方突出部３３４は、図９、図１０に示すごとく、本体周縁部２３の上側の角部を乗り越えて、本体周縁部２３の上面２３１に移動する。そうすると、立設部３３１の復元力によって、下方突出部３３４が本体周縁部２３の上面２３１を摺動して内方へ移動する。そして、立設部３３１の復元力によって、下方突出部３３４が本体周縁部２３の上面２３１に圧接される状態が形成される。
【００４９】
図６〜図１０においては、一つの係合爪部３３における変形の様子のみを表しているが、ストレーナカバー３に設けたすべての係合爪部３３が、略同時に、上記と同様に、変形することとなる。なお、上記の係合爪部３３の変形は、すべて弾性域内における変形となるようにする。
以上のようにして、ストレーナ本体２に、ストレーナカバー３が、フィルタ４及びフレーム５と共に組み付けられて、図１に示すオイルストレーナ１が得られる。
【００５０】
次に、本実施形態の作用効果につき説明する。
上記オイルストレーナ１において、ストレーナカバー３は、複数の係合爪部３３を有する。それゆえ、ストレーナカバー３を、容易にストレーナ本体２に固定することができる。そのため、オイルストレーナ１の製造を容易に行うことができる。
【００５１】
また、係合爪部３３は、立設部３３１と、折返し部３３２と、内方突出部３３３と、下方突出部３３４とを有する。そして、下方突出部３３４は、立設部３３１の復元力によって、本体周縁部２３の上面２３１に圧接している。これにより、ストレーナ本体２に対するストレーナカバー３の安定した固定状態を得ることができる。
【００５２】
また、上記オイルストレーナの製造方法においては、ストレーナ本体２にストレーナカバー３を配置する際、折返し部３３２を本体周縁部２３の外側に配置すると共に、内方突出部３３３の上面３３５を本体周縁部２３の下面２３２に当接させる。これにより、折返し部３３２によって、ストレーナ本体２とストレーナカバー３との位置決めを容易に行うことができる。
【００５３】
また、ストレーナカバー３をストレーナ本体２に向かって押し込むことにより、上記のように、立設部３３１を弾性変形させ、さらには下方突出部３３４を本体周縁部２３の上面２３１に圧接される状態を形成する。このように、ストレーナカバー３をストレーナ本体２に向かって押し込む動作によって、複数の係合爪部３３をストレーナ本体２の本体周縁部３に係合させることができる。したがって、ストレーナ本体２に対するストレーナカバー３の安定した固定状態を得ることができる。
【００５４】
また、下方突出部３３４は、上下方向と内方突出部３３３の突出方向とに平行な断面の形状が、凸の曲線状に形成されている。これにより、係合爪部３３を本体周縁部２３に係合させる際に、下方突出部３３４が円滑に本体周縁部２３の上面２３１に配置されるようにすることができる。
【００５５】
また、内方突出部３３３の上面３３５と立設部３３１とのなす角度は鈍角である。この場合には、係合爪部３３を本体周縁部２３に係合させる際に、内方突出部３３３の上面３３５に沿って本体周縁部２３を摺動させて、立設部３３１を弾性変形させやすくすることができる。
【００５６】
また、図１に示すオイルストレーナ１の完成状態において、立設部３３１とカバー周縁部３４とのなす角度は鈍角である。これにより、立設部３３１が弾性変形した状態で、下方突出部３３４が本体周縁部２３の上面２３１に圧接した状態を得やすくすることができる。
【００５７】
また、オイルストレーナの製造方法において、ストレーナカバー３をストレーナ本体２に向かって押し込んだとき、内方突出部３３３が、折返し部３３２とのなす角度が大きくなる方向に弾性変形するようにする。これにより、より円滑に本体周縁部２３を内方突出部３３３に対して摺動させることができる。
【００５８】
また、ストレーナカバー３をストレーナ本体２に向かって押し込んだとき、内方突出部３３３が弾性変形すると共に下方突出部３３４が立設部３３１を外方へ押圧する。これにより、立設部３３１をより確実に弾性変形させることができる。
【００５９】
また、ストレーナカバー３がストレーナ本体２に組み付けられる前において、内方突出部３３３の上面３３５は、内方へ向かうにつれてカバー周縁部３４に近付く方向に傾斜している。これにより、ストレーナカバー３をストレーナ本体２に向かって押し込むことにより、立設部３３１を弾性変形させる際に、内方突出部３３３の上面３３５に対する本体周縁部２３の摺動を円滑にすることができる。
【００６０】
以上のごとく、上記態様によれば、ストレーナ本体に対するストレーナカバーの安定した固定状態を得ることができる、製造容易なオイルストレーナ及びその製造方法を提供することができる。
【００６１】
（実施形態２）
本実施形態においては、図１１に示すごとく、ストレーナ本体２の本体周縁部２３における、上面２３１と側端面２３３との間の角部に、曲面状の面取部２３４を設けている。
その他の構成は、実施形態１と同様である。なお、実施形態２以降において用いた符号のうち、既出の実施形態において用いた符号と同一のものは、特に示さない限り、既出の実施形態におけるものと同様の構成要素等を表す。
【００６２】
この場合には、内方突出部３３３及び下方突出部３３４が、本体周縁部２３の上側の角部を乗り越えて、本体周縁部２３の上面２３１に移動する際、内方突出部３３３及び下方突出部３３４が面取部２３４を摺動することとなる。それゆえ、本体周縁部２３の上側の角部と係合爪部３３との間の摺動を円滑に行いやすい。その結果、より円滑に、ストレーナカバー３をストレーナ本体２に組み付けることができる。
その他、実施形態１と同様の作用効果を有する。
【００６３】
（実施形態３）
本実施形態においては、図１２に示すごとく、ストレーナ本体２の本体周縁部２３の側端面２３３を、上側へ向かうほど内側へ向かうように傾斜した面としている。つまり、本体周縁部２３の側端面２３３と上面２３１とのなす角度が、鈍角となるように、側端面２３３を傾斜させている。
その他の構成は、実施形態１と同様である。
【００６４】
この場合には、内方突出部３３３及び下方突出部３３４が、本体周縁部２３の側端面２３３に沿って上方へ移動する際、側端面２３３に当接する内方突出部３３３の内側端部が、側端面２３３を摺動しやすい。これにより、下方突出部３３４が本体周縁部２３の上面２３１に移動しやすい。その結果、より円滑に、ストレーナカバー３をストレーナ本体２に組み付けることができる。
その他、実施形態１と同様の作用効果を有する。
【００６５】
（実施形態４）
本実施形態においては、図１３に示すごとく、ストレーナ本体２の本体周縁部２３における、下面２３２と側端面２３３との間の角部に、曲面状の面取部２３５を設けている。
その他の構成は、実施形態１と同様である。
【００６６】
この場合には、本体周縁部２３に内方突出部３３３の上面３３５が当接する際、面取部２３５が形成された角部が、上面３３５に当接することとなる。それゆえ、この状態からストレーナカバー３をストレーナ本体２に向かって押し込むとき、本体周縁部２３の下側の角部が内方突出部３３３の上面３３５に対して、円滑に摺動することとなる。その結果、より円滑に、ストレーナカバー３をストレーナ本体２に組み付けることができる。
その他、実施形態１と同様の作用効果を有する。
【００６７】
本発明は上記各実施形態に限定されるものではなく、その要旨を逸脱しない範囲において種々の実施形態に適用することが可能である。
例えば、上記各実施形態においては、フレームを備えたオイルストレーナを開示したが、フレームを設けない構成とすることもできる。
【符号の説明】
【００６８】
１  オイルストレーナ
２  ストレーナ本体
２３  本体周縁部
３  ストレーナカバー
３３  係合爪部
３３１  立設部
３３２  折返し部
３３３  内方突出部
３３４  下方突出部
４  フィルタ
【図１】
2018193939.tif 000003
【図２】
2018193939.tif 000004
【図３】
2018193939.tif 000005
【図４】
2018193939.tif 000006
【図５】
2018193939.tif 000007
【図６】
2018193939.tif 000008
【図７】
2018193939.tif 000009
【図８】
2018193939.tif 000010
【図９】
2018193939.tif 000011
【図１０】
2018193939.tif 000012
【図１１】
2018193939.tif 000013
【図１２】
2018193939.tif 000014
【図１３】
2018193939.tif 000015